(57)【要約】      （修正有）【課題】すべての可能な面関係をユーザが選択することを可能にするシステムの提供。【解決手段】複数の入力シートを有する原稿から出力文書を印刷するための方法およびシステムであって、各入力シートは表面および裏面を有し、出力文書は複数の出力シートを有し、各出力シートは表面および裏面を有し、出力文書の出力シートは対応する入力シートの面と同じ面を有する。また、本方法およびシステムは、出力文書のすべての出力シートが片面である場合に、複数の入力シートを有する原稿から出力文書を印刷する。さらに、本方法およびシステムは、出力文書のすべての出力シートが両面である場合に、複数の入力シートを有する原稿から出力文書を印刷する。【選択図】なし【特許請求の範囲】
【請求項１】
複数の入力シートを有する原稿から出力文書を印刷するための方法であって、前記各入力シートが表面および裏面を有し、前記出力文書が複数の出力シートを有し、前記各出力シートが表面および裏面を有し、前記出力文書の前記出力シートは対応する入力シートの面と同じ面を有し、前記方法が、
（ａ）前記原稿を走査するステップと、
（ｂ）前記走査原稿の入力シートが、前記入力シートの表面のみに画像を有しているかどうかを判定するステップと、
（ｃ）前記走査原稿の前記入力シートが、前記入力シートの裏面のみに画像を有しているかどうかを判定するステップと、
（ｄ）前記走査原稿の前記入力シートが、前記入力シートの表面および裏面の両方に画像を有しているかどうかを判定するステップと、
（ｅ）前記走査原稿の前記入力シートが前記入力シートの表面のみに画像を有していると判定された場合、前記入力シートの前記表面からの画像で出力シートの表面を印刷し、前記出力シートの裏面を白紙のままにするステップと、
（ｆ）前記走査原稿の前記入力シートが前記入力シートの裏面のみに画像を有していると判定された場合、前記入力シートの前記裏面からの画像で出力シートの裏面を印刷し、前記出力シートの表面を白紙のままにするステップと、
（ｇ）前記走査原稿の前記入力シートが前記入力シートの表面および裏面の両方に画像を有していると判定された場合、前記入力シートの前記表面からの画像で出力シートの表面を印刷し、前記入力シートの前記裏面からの画像で前記出力シートの裏面を印刷するステップと、を含む方法。
【請求項２】
複数の入力シートを有する原稿から出力文書を印刷するための方法であって、前記各入力シートが表面および裏面を有し、前記出力文書が複数の出力シートを有し、前記各出力シートが表面および裏面を有し、前記出力文書のすべての出力シートが片面であり、前記方法が、
（ａ）前記原稿を走査するステップと、
（ｂ）前記走査原稿の入力シートが、前記入力シートの表面のみに画像を有しているかどうかを判定するステップと、
（ｃ）前記走査原稿の前記入力シートが、前記入力シートの裏面のみに画像を有しているかどうかを判定するステップと、
（ｄ）前記走査原稿の前記入力シートが、前記入力シートの表面および裏面の両方に画像を有しているかどうかを判定するステップと、
（ｅ）前記走査原稿の前記入力シートが前記入力シートの表面のみに画像を有していると判定された場合、前記入力シートの前記表面からの画像で出力シートの表面を印刷し、前記出力シートの裏面を白紙のままにするステップと、
（ｆ）前記走査原稿の前記入力シートが前記入力シートの裏面のみに画像を有していると判定された場合、前記入力シートの前記裏面からの画像で出力シートの表面を印刷し、前記出力シートの裏面を白紙のままにするステップと、
（ｇ）前記走査原稿の前記入力シートが前記入力シートの表面および裏面の両方に画像を有していると判定された場合、前記入力シートの前記表面からの画像で出力シートの表面を印刷し、前記入力シートの前記裏面からの画像で次の出力シートの表面を印刷するステップと、を含む方法。
【請求項３】
複数の入力シートを有する原稿から出力文書を印刷するための方法であって、前記各入力シートが表面および裏面を有し、前記出力文書が複数の出力シートを有し、前記各出力シートが表面および裏面を有し、前記出力文書のすべての出力シートが両面であり、前記方法が、
（ａ）前記原稿を走査するステップと、
（ｂ）前記走査原稿の前記入力シートが、前記入力シートの１面のみに画像を有しているかどうかを判定するステップと、
（ｃ）前記走査原稿の前記入力シートが、前記入力シートの表面および裏面の両方に画像を有しているかどうかを判定するステップと、
（ｄ）１面のみの出力が印刷のために利用可能であるかどうかを判定するステップと、
（ｅ）前記走査原稿の前記入力シートが前記入力シートの１面のみに画像を有し、１面のみの出力が印刷のために利用可能であると判定された場合、前記入力シートからの画像で出力シートの裏面を印刷するステップと、
（ｆ）前記走査原稿の前記入力シートが前記入力シートの１面のみに画像を有していると判定され、１面だけではない出力が印刷のために利用可能であると判定された場合、前記入力シートからの画像で出力シートの表面を印刷するステップと、
（ｇ）前記走査原稿の前記入力シートが前記入力シートの表面および裏面の両方に画像を有していると判定され、１面だけではない出力が印刷のために利用可能であると判定された場合、前記入力シートの前記表面からの画像で出力シートの表面を印刷し、前記入力シートの前記裏面からの画像で前記出力シートの裏面を印刷するステップと、
（ｈ）前記走査原稿の前記入力シートが前記入力シートの表面および裏面の両方に画像を有していると判定され、１面のみの出力が印刷のために利用可能であると判定された場合、前記入力シートの前記表面からの画像で出力シートの裏面を印刷し、前記入力シートの前記裏面からの画像で次の出力シートの表面を印刷するステップと、を含む方法。
【発明の詳細な説明】
【背景技術】
【０００１】
現行のデジタル複写機およびデジタル多機能印刷装置は、複数の機能をサポートするために設計された制御パネルおよびディスプレイを有する。多重機能をサポートする制御パネルおよび／またはディスプレイを有する従来のデジタル多機能印刷装置の例を図１に示す。
【発明の概要】
【課題を解決するための手段】
【０００２】
図１は、デジタル多機能印刷装置の全体構成を示している。デジタル多機能印刷装置は、図１に示すように、走査ステーション３５、印刷ステーション５５、およびユーザインターフェース５０を含む。また、デジタル多機能印刷装置は、ソータ、タワーメールボックス、ステープラなどであり得る仕上げ装置４５を含んでもよい。印刷ステーション５５は、印刷プロセスで使用する用紙を格納する複数の用紙トレイ４０を含むことができる。最後に、デジタル多機能印刷装置は、マシンで使用する大量の用紙を保持することが可能な大容量フィーダ３０を含むことができる。
【０００３】
一般的な走査機能においては、オペレータが、原稿からの画像を走査する走査ステーション３０を利用することができる。この走査ステーション３０はプラテンスキャナであってもよいし、固定走査装置を横切って原稿を移動させる定速搬送システムを含んでもよい。さらに、走査ステーション３０はまた、走査のために、自動的に、原稿をプラテンガラス上に置くことができる文書処理システムを備えてもよい。
【０００４】
印刷機能に関して、印刷ステーション５５は、複数の用紙トレイのうちの１つまたは大容量フィーダから適切な用紙を引き出し、引き出した用紙上に所望の画像を描画し、さらなる動作のために、印刷された画像を仕上げ装置４５に出力することができる。ユーザインターフェース５０は、特定のジョブ特性または機能特性をプログラムする機会をユーザに提供する各種画面をユーザに提示することにより、ユーザが、デジタル多機能印刷装置のさまざまな機能を制御することを可能にする。
【０００５】
デジタル多機能印刷装置の基本的な従来構成の一例が、図２に示されている。図２に示すように、デジタル多機能印刷装置の構成は、原画像を、記憶または複製することができるデジタル信号のセットに変換するスキャナ３を含む。スキャナ３は、デジタル多機能印刷装置のさまざまなモジュールおよびデバイス間に相互接続および相互通信を提供する単一のバスまたは複数のバスであり得る、中央バスシステム１に接続されている。
【０００６】
デジタル多機能印刷装置は、図２に示すように、画像を表すデジタル信号を記録媒体上のその画像のハードコピーに変換するデジタル印刷装置２３をさらに備え、この記録媒体は、紙、透明シート、または他のタイプのマーキング可能な媒体である。また、デジタル複合機は、例えば、マシン故障情報、マシン履歴情報、後で処理すべきデジタル画像、マシン用命令セット、ジョブ命令セットなどの、さまざまなタイプのデジタル情報を記憶するためのメモリ２１を含んでいる。
【０００７】
メモリ２１に加えて、従来のデジタル多機能印刷装置は、デジタル印刷装置２３によって描画されている画像のデジタル表現を記憶することができる電子式事前照合メモリ７を備えている。電子式事前照合メモリ７には、デジタル印刷装置２３が描画することが可能となるように、デジタル画像が、すでにページ構成にレイアウトされている。
【０００８】
図２に示すようなデジタル多機能印刷装置は、ユーザインターフェース５をさらに含み、このユーザインターフェース５により、ユーザが、多機能装置のさまざまな機能を選択し、特に選択された機能のための種々のジョブ属性をプログラムし、複合装置への他の入力を提供すると同時に、デジタル多機能印刷装置からの情報データを表示させることが可能になる。
【０００９】
デジタル多機能印刷装置がネットワークに接続されている場合、デジタル多機能印刷装置は、デジタル多機能印刷装置上のさまざまなモジュールまたは装置とネットワークとの間の相互関係を制御することができるネットワークインターフェース１９および電子サブシステムコントローラ９を含むことができる。
【００１０】
ファクシミリ機能を可能にするために、デジタル多機能印刷装置は、一般的には、音声／データモデム１１および電話回路基板１３を含むことができる。さらに、デジタル多機能印刷装置は、フロッピー（登録商標）ディスクドライブ、ＣＤ−ＲＯＭドライブ、テープドライブ、またはポータブルメモリ装置を受け入れることができる他のタイプのドライブのような、入力／出力ドライブ１７を含んでもよい。
【００１１】
いくつかのデジタル多機能印刷装置では、装置は、印刷装置２３から印刷された出力に所定の動作を行うことができるフィニッシャ２９も備えている。最後に、さまざまなモジュールおよびデバイス間のすべての相互作用を調整するために、デジタル多機能印刷装置は、多機能装置内のすべての機能を制御するコントローラ１５を備えている。
【００１２】
ユーザインターフェースは、１つの画面、複数の画面、またはこれらの組合せに複数のレベルを有することができる対話型電子ディスプレイである。このようなユーザインターフェースのユーザは、所望のユーザプログラマブル特徴または属性を選択するためのユーザインターフェースをナビゲートすることができる。より具体的には、ユーザは、ナビゲーションボタンに関連づけられた別の特徴または属性をプログラムするために、主コピー画面およびナビゲーションボタンに対面して、他の画面または積層画面に着手することができる。
【００１３】
例えば、主コピー画面は、縮小／拡大の特徴に関連するナビゲーションボタンを有することができる。このナビゲーションボタンを活性させることにより、ユーザインターフェースは、縮小／拡大の複数の活性化ボタンと、ユーザがさまざまな縮小／拡大の値をプログラムすることができる他のプログラム可能な領域を有する画面を表示することができる。
【００１４】
図３は、対話型電子ディスプレイユーザインターフェースの複数の画面と複数の層を利用する従来のユーザインターフェースを示しているが、ユーザが複数の画面をナビゲートすることを必要とせずに、ユーザが所望の一般的に使用されるいくつかの特徴を容易にプログラムできる主コピー画面を備えている。
【００１５】
図３に示すように、基本的なコピー機能画面５０は、メッセージ領域５１０、ナビゲーション領域５２０、およびプログラム可能領域５３０を含む。メッセージ領域５１０では、デジタル複写機が、マシンの状態または特定のジョブをプログラムする際のユーザの支援をユーザに通知するために、ユーザに対しての各種メッセージを表示することになる。
【００１６】
ナビゲーション領域５２０では、タブに関連した特徴を画面上に送るために、ユーザは、活性化タブ５２１のいずれかを選択することができ、これにより、現特徴は、活性したすなわち使用中のタブの後にまわることが可能になる。
【００１７】
さらに、ナビゲーション領域５２０は、ユーザが、例えば、保守機能、キーオペレータプログラム機能、監視機能、または診断機能などの複写システムに対する他の機能を実行するための他の種々の画面にナビゲートすることを可能にするナビゲーションボタン５２２を備えている。
【００１８】
最後に、画面５０のプログラム可能領域５３０は、複数の活性化領域を含み、各活性化領域は、特定の値、機能、またはリンクされた画面に関連している。
【００１９】
例えば、図３に示すように、活性化領域５３１は、１００％の予め設定された縮小／拡大値に関連している。一方、図３の活性化領域５３２は、リンクされた画面に関連している。したがって、活性化領域５３２の使用時すなわち活性時に、画面は別の画面で置き換えられることになる。
【００２０】
図３の基本的なコピー機能画面５０上の他の活性化領域は、縮小／拡大が予め設定された活性化領域５３３および５３４を含み、それぞれ、予め設定された縮小値６４％および７８％に相当する。基本的なコピー機能画面５０上の縮小／拡大に対する別の活性化領域は、オート機能に対応する活性化領域５３５であり、選択されすなわち使用された場合に、複写システムは、出力記録媒体上に適切に適合するように、走査された画像の大きさを自動的に合わせることになる。
【００２１】
最後に、活性化領域５３６は、ユーザが入力文書の面と出力文書の面との間の面関係を選択することを可能にするように対応している。面は片面（１面）であってもよいし、または面は両面（２面）であってもよい。
【００２２】
例えば、入力文書が片面（１面）であり、ユーザがその文書を両面（２面）文書として複製したい場合、ユーザは、「１→２面」の活性化領域５３６を使用する。
【００２３】
一方、入力文書が両面（２面）であり、ユーザがその文書を片面（１面）文書として複製したい場合、ユーザは、「２→１面」の活性化領域５３６を使用する。
【００２４】
ただし、従来のユーザインターフェースは、面関係を選択するための多くの選択肢を提供するが、従来のユーザインターフェースは、すべての可能な面関係を提供しない。
【００２５】
したがって、すべての可能な面関係をユーザが選択することを可能にするシステムを提供することが望まれる。
【００２６】
さらに、あまりにも多くの選択肢によってユーザインターフェースを圧倒することなく、すべての可能な面関係をユーザが選択することを可能にするシステムを提供することが望まれる。
【００２７】
図面は、さまざまな実施形態を例示するためだけのものであって、限定として解釈されるべきではない。
【図面の簡単な説明】
【００２８】
【図１】従来技術のデジタル多機能装置を示す図である。
【図２】従来技術のデジタル多機能装置の構成を示すブロック図である。
【図３】主コピー画面を示す従来技術のユーザインターフェース画面のレイアウトを示す図である。
【図４】利用可能な選択可能な面関係を示すユーザインターフェース画面のレイアウトを示す図である。
【図５】出力面が入力面と同じである面関係を選択した例を示す図である。
【図６】出力面が常に片面（１面）である面関係を選択した例を示す図である。
【図７】出力面が常に両面（２面）である面関係を選択した例を示す図である。
【図８】出力面が入力面と同じである面関係のフロー図である。
【図９】出力面が常に片面（１面）である面関係のフロー図である。
【図１０】出力面が常に両面（２面）である面関係のフロー図である。
【発明を実施するための形態】
【００２９】
一般的な理解のために、図面が参照される。図面において、同じ符号が同一または同等の構成要素を示すために、全体にわたって使用されている。また、特徴および概念が適切に例示され得るように、図面は縮尺通りに描かれていない可能性があること、および特定の領域が意図的に不均衡に描かれている可能性があることに留意されたい。
【００３０】
図４は、利用可能な選択可能な面関係を示すユーザインターフェース画面のレイアウトを示している。図４に示すように、ユーザインターフェース５０は、活性化領域（５４１、５４３、および５４５）を含んでいる。
【００３１】
図４に関して、活性化領域５４１は、ユーザによって選択されると、（１）複数のシートを有する片面原稿を、片面文書として、（２）複数のシートを有する両面原稿を、両面文書として、または複数のシートを有する混合の片面／両面原稿を、混合の片面／両面文書として、デジタル多機能装置に複製させる。これを図５に示す。
【００３２】
図５に示すように、混合の片面／両面原稿６００は、複数のシート（６１０、６２０、６３０、および６４０）を有している。各シートは、表面および裏面を有している。
【００３３】
例えば、シート６１０は、その表面に画像Ａを有し、その裏面に画像を有さず、シート６２０は、その表面に画像Ｂおよびその裏面に画像Ｃを有し、シート６３０は、その表面に画像Ｄおよびその裏面の画像Ｅを有し、シート６４０は、その表面の画像を有さず、その裏面に画像Ｆを有している。
【００３４】
図５に示すように、複数のシート（６１０、６２０、６３０、および６４０）を有する混合の片面／両面原稿６００は、走査されるようにスキャナによって受け入れされる。スキャナは、混合の片面／両面原稿６００を、電子式事前照合メモリに記憶される電子文書に変換し、この電子文書は、混合の片面／両面原稿６００と同じ片面／両面特性を有している。
【００３５】
例えば、混合の片面／両面原稿６００の第１の入力シート（図５のシート６１０）が片面である場合、電子式事前照合メモリは、対応する第１の出力シート（図５のシート７１０）を片面として記憶する。
【００３６】
混合の片面／両面原稿６００の第２の入力シート（図５のシート６２０）が両面である場合、電子式事前照合メモリは、対応する第２の出力シート（図５のシート７２０）を両面として記憶する。
【００３７】
混合の片面／両面原稿６００の第３の入力シート（図５のシート６３０）が両面である場合、電子式事前照合メモリは、対応する第３の出力シート（図５のシート７３０）を両面として記憶する。
【００３８】
混合の片面／両面原稿６００の第４の入力シート（図５のシート６４０）が片面である場合、電子式事前照合メモリは、対応する第４の出力シート（図５のシート７４０）を片面として記憶する。
【００３９】
図４に関して、活性化領域５４３は、ユーザによって選択されると、（１）複数のシートを有する片面原稿を、片面文書として、（２）複数のシートを有する両面原稿を、片面文書として、または複数のシートを有する混合の片面／両面原稿を、片面文書として、デジタル多機能装置に複製させる。これを図６に示す。
【００４０】
図６に示すように、混合の片面／両面原稿６００は、複数のシート（６１０、６２０、６３０、および６４０）を有している。各シートは、表面および裏面を有している。
【００４１】
例えば、シート６１０は、その表面に画像Ａを有し、その裏面に画像を有さず、シート６２０は、その表面に画像Ｂおよびその裏面に画像Ｃを有し、シート６３０は、その表面に画像Ｄおよびその裏面の画像Ｅを有し、シート６４０は、その表面の画像を有さず、その裏面に画像Ｆを有している。
【００４２】
図６に示すように、複数のシート（６１０、６２０、６３０、および６４０）を有する混合の片面／両面原稿６００は、走査されるようにスキャナによって受け入れされる。スキャナは、混合の片面／両面原稿６００を、電子式事前照合メモリに記憶される電子文書に変換し、この電子文書は、混合の片面／両面原稿６００と同じ片面／両面特性を有している。
【００４３】
例えば、混合の片面／両面原稿６００の第１の入力シート（図６のシート６１０）が片面である場合、電子式事前照合メモリは、第１の入力シート（図６のシート６１０）の表面の画像を第１の出力シート７１０の表面の画像として記憶する。
【００４４】
混合の片面／両面原稿６００の第２の入力シート（図６のシート６２０）が両面である場合、電子式事前照合メモリは、画像を別のシートに分割する。より具体的には、電子式事前照合メモリは、第２の入力シート（図６のシート６２０）の表面の画像を第２の出力シート（図６のシート７２０）の表面として記憶し、第２の入力シート（図６のシート６２０）の裏面の画像を第３の出力シート（図６のシート７３０）の表面の画像として記憶する。
【００４５】
混合の片面／両面原稿６００の第３の入力シート（図６のシート６３０）が両面である場合、電子式事前照合メモリは、画像を別のシートに分割する。より具体的には、電子式事前照合メモリは、第３の入力シート（図６のシート６３０）の表面の画像を第４の出力シート７４０の表面の画像として記憶する、等。
【００４６】
図４に関して、活性化領域５４５は、ユーザによって選択されると、（１）複数のシートを有する片面原稿を、両面文書として、（２）複数のシートを有する両面原稿を、両面文書として、または複数のシートを有する混合の片面／両面原稿を、両面文書として、デジタル多機能装置に複製させる。これを図７に示す。
【００４７】
図７に示すように、混合の片面／両面原稿６００は、複数のシート（６１０、６２０、６３０、および６４０）を有している。各シートは、表面および裏面を有している。
【００４８】
例えば、シート６１０は、その表面に画像Ａを有し、その裏面に画像を有さず、シート６２０は、その表面に画像Ｂおよびその裏面に画像Ｃを有し、シート６３０は、その表面に画像Ｄおよびその裏面の画像Ｅを有し、シート６４０は、その表面の画像を有さず、その裏面に画像Ｆを有している。
【００４９】
図７に示すように、複数のシート（６１０、６２０、６３０、および６４０）を有する混合の片面／両面原稿６００は、走査されるようにスキャナによって受け入れされる。スキャナは、混合の片面／両面原稿６００を、電子式事前照合メモリに記憶される電子文書に変換し、この電子文書は、混合の片面／両面原稿６００と同じ片面／両面特性を有している。
【００５０】
例えば、混合の片面／両面原稿６００の第１の入力シート（図７のシート６１０）が片面である場合、電子式事前照合メモリは、第１の入力シート（図７のシート６１０）からの画像を第１の出力シート７１０の表面として記憶する。
【００５１】
混合の片面／両面原稿６００の第２の入力シート（図７のシート６２０）が両面である場合、電子式事前照合メモリは、画像を別のシートに分割する。より具体的には、電子式事前照合メモリは、第２の入力シート（図７のシート６２０）の表面の画像を第１の出力シート７１０の裏面の画像として記憶し、第２の入力シート（図７のシート６２０）の裏面の画像を第２の出力シート７２０の表面の画像として記憶する。
【００５２】
混合の片面／両面原稿６００の第３の入力シート（図７のシート６３０）が両面である場合、電子式事前照合メモリは、画像を別のシートに分割する。より具体的には、電子式事前照合メモリは、第３の入力シート（図７のシート６３０）の表面の画像を第２の出力シート７２０の裏面の画像として記憶する、等。
【００５３】
混合の片面／両面原稿６００の第４の入力シート（図７のシート６４０）が片面である場合、電子式事前照合メモリは、第４の入力シート（図７のシート６４０）からの画像を第３の出力シート７３０の裏面の画像として記憶する。
【００５４】
図８は、出力面が入力面と同じである面関係のフロー図を示している。図８に示すように、走査原稿は、従来の自動ページ検出プロセスによって処理され、ステップＳ１０で、画像が、走査原稿の入力シートの表面および／または裏面であるかどうかを判定する。
【００５５】
ステップＳ１０での自動ページ検出プロセスで、入力シートが片面であり、かつ表面に画像を有すると判定された場合、ステップＳ２０は、入力シートの表面からの画像で出力シートの表面を印刷し、裏面を白紙のままにする。
【００５６】
ステップＳ１０での自動ページ検出プロセスで、入力シートが片面であり、かつ裏面に画像を有すると判定された場合、ステップＳ３０は、入力シートの裏面からの画像で出力シートの裏面を印刷し、表面を白紙のままにする。
【００５７】
ステップＳ１０での自動ページ検出プロセスで、入力シートが両面であると判定された場合、ステップＳ４０は、入力シートの表面からの画像で出力シートの表面を印刷し、入力シートの裏面からの画像で出力シートの裏面を印刷する。
【００５８】
ステップＳ５０において、プロセスは、さらに入力シートを処理する必要があるかどうかを判定する。さらに入力シートを処理する必要があると判定された場合、プロセスはステップＳ１０に戻る。
【００５９】
図９は、出力面が常に片面（１面）である面関係のフロー図を示している。図９に示すように、走査原稿は、従来の自動ページ検出プロセスによって処理され、ステップＳ１０で、画像が、走査原稿の入力シートの表面および／または裏面であるかどうかを判定する。
【００６０】
ステップＳ１０での自動ページ検出プロセスで、入力シートが片面であると判定された場合、ステップＳ２０は、入力シートからの画像で出力シートの表面を印刷し、裏面を白紙のままにする。
【００６１】
ステップＳ１０での自動ページ検出プロセスで、入力シートが両面であると判定された場合、ステップＳ４１は、入力シートの表面からの画像で出力シートの表面を印刷し、裏面を白紙のままにする。
【００６２】
その後、ステップＳ４３は、入力シートの裏面からの画像で次の出力シートの表面を印刷し、その出力シートの裏面を白紙のままにする。
【００６３】
ステップＳ５０において、プロセスは、さらに入力シートを処理する必要があるかどうかを判定する。さらに入力シートを処理する必要があると判定された場合、プロセスはステップＳ１０に戻る。
【００６４】
図１０は、出力面が常に両面（２面）である面関係のフロー図を示している。
【００６５】
図１０に示すように、走査原稿は、従来の自動ページ検出プロセスによって処理され、ステップＳ１０で、画像が、走査原稿の入力シートの表面および／または裏面であるかどうかを判定する。
【００６６】
ステップＳ１０での自動ページ検出プロセスで、入力シートが片面であると判定された場合、ステップＳ６１は、片面フラグがセットされているかどうかを判定する。
【００６７】
片面フラグがセットされている場合、ステップＳ６７は、入力シートからの画像で出力シートの裏面を印刷する。その後、ステップＳ６９は、片面フラグを解除する。
【００６８】
片面フラグがセットされていない場合、ステップＳ６３は、入力シートからの画像で出力シートの表面を印刷する。その後、ステップＳ６５は、片面フラグをセットする。
【００６９】
ステップＳ１０での自動ページ検出プロセスで、入力シートが両面であると判定された場合、ステップＳ６１は、片面フラグがセットされているかどうかを判定する。
【００７０】
片面フラグがセットされている場合、ステップＳ７５は、入力シートの表面からの画像で出力シートの裏面を印刷する。その後、ステップＳ７７は、入力シートの裏面から画像で次の出力シートの表面を印刷する。
【００７１】
片面フラグがセットされていない場合、ステップＳ７３は、入力シートの表面からの画像で出力シートの表面を印刷し、入力シートの裏面からの画像で出力シートの裏面を印刷する。
【００７２】
ステップＳ５０において、プロセスは、さらに入力シートを処理する必要があるかどうかを判定する。さらに入力シートを処理する必要があると判定された場合、プロセスはステップＳ１０に戻る。
【００７３】
要するに、複数の入力シートを有する原稿から出力文書を印刷するための方法であって、各入力シートは表面および裏面を有し、出力文書は複数の出力シートを有し、各出力シートは表面および裏面を有し、出力文書の出力シートは対応する入力シートの面と同じ面を有し、この方法は、原稿を走査するステップと、走査原稿の入力シートが、入力シートの表面のみに画像を有しているかどうかを判定するステップと、走査原稿の入力シートが、入力シートの裏面のみに画像を有しているかどうかを判定するステップと、走査原稿の入力シートが、入力シートの表面および裏面の両方に画像を有しているかどうかを判定するステップと、走査原稿の入力シートが入力シートの表面のみに画像を有していると判定された場合、入力シートの表面からの画像で出力シートの表面を印刷し、出力シートの裏面を白紙のままにするステップと、走査原稿の入力シートが入力シートの裏面のみに画像を有していると判定された場合、入力シートの裏面からの画像で出力シートの裏面を印刷し、出力シートの表面を白紙のままにするステップと、走査原稿の入力シートが入力シートの表面および裏面の両方に画像を有していると判定された場合、入力シートの表面からの画像で出力シートの表面を印刷し、入力シートの裏面からの画像で出力シートの裏面を印刷するステップと、を含む。
【００７４】
複数の入力シートを有する原稿から出力文書を印刷するための方法であって、各入力シートは表面および裏面を有し、出力文書は複数の出力シートを有し、各出力シートは表面および裏面を有し、出力文書のすべての出力シートは片面であり、この方法は、原稿を走査するステップと、走査原稿の入力シートが、入力シートの表面のみに画像を有しているかどうかを判定するステップと、走査原稿の入力シートが、入力シートの裏面のみに画像を有しているかどうかを判定するステップと、走査原稿の入力シートが、入力シートの表面および裏面の両方に画像を有しているかどうかを判定するステップと、走査原稿の入力シートが入力シートの表面のみに画像を有していると判定された場合、入力シートの表面からの画像で出力シートの表面を印刷し、出力シートの裏面を白紙のままにするステップと、走査原稿の入力シートが入力シートの裏面のみに画像を有していると判定された場合、入力シートの裏面からの画像で出力シートの表面を印刷し、出力シートの裏面を白紙のままにするステップと、走査原稿の入力シートが入力シートの表面および裏面の両方に画像を有していると判定された場合、入力シートの表面からの画像で出力シートの表面を印刷し、入力シートの裏面からの画像で次の出力シートの表面を印刷するステップと、を含む。
【００７５】
複数の入力シートを有する原稿から出力文書を印刷するための方法であって、各入力シートは表面および裏面を有し、出力文書は複数の出力シートを有し、各出力シートは表面および裏面を有し、出力文書のすべての出力シートは片面であり、この方法は、原稿を走査するステップと、走査原稿の入力シートが、入力シートの１面のみに画像を有しているかどうかを判定するステップと、走査原稿の入力シートが、入力シートの表面および裏面の両方に画像を有しているかどうかを判定するステップと、１面のみの出力が印刷のために利用可能であるかどうかを判定するステップと、走査原稿の入力シートが入力シートの１面のみに画像を有し、１面のみの出力が印刷のために利用可能であると判定された場合、入力シートからの画像で出力シートの裏面を印刷するステップと、走査原稿の入力シートが入力シートの１面のみに画像を有していると判定され、１面だけではない出力が印刷のために利用可能であると判定された場合、入力シートからの画像で出力シートの表面を印刷するステップと、走査原稿の入力シートが入力シートの表面および裏面の両方に画像を有していると判定され、１面だけではない出力が印刷のために利用可能であると判定された場合、入力シートの表面からの画像で出力シートの表面を印刷し、入力シートの裏面からの画像で出力シートの裏面を印刷するステップと、走査原稿の入力シートが入力シートの表面および裏面の両方に画像を有していると判定され、１面のみの出力が印刷のために利用可能であると判定された場合、入力シートの表面からの画像で出力シートの裏面を印刷し、入力シートの裏面からの画像で次の出力シートの表面を印刷するステップと、を含む。
【図１】
2016161937.tif 000002
【図２】
2016161937.tif 000003
【図３】
2016161937.tif 000004
【図４】
2016161937.tif 000005
【図５】
2016161937.tif 000006
【図６】
2016161937.tif 000007
【図７】
2016161937.tif 000008
【図８】
2016161937.tif 000009
【図９】
2016161937.tif 000010
【図１０】
2016161937.tif 000011